【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
稼働中のプロセスユニットにおけるアセットに関連付けられた１つまたは複数の設備パラメータを監視することと、
前記アセットに関連付けられた１つまたは複数のプロセスパラメータを監視することと、
前記１つまたは複数の監視される設備パラメータ、プロセスパラメータ、および前記１つまたは複数の設備パラメータに関連付けられたベースラインデータに基づいて、前記アセットに対応するアセット健康値を決定することと、
を含む、方法。
【請求項２】
前記ベースラインデータは、前記アセットが正常状態で動作しているときに測定された前記１つまたは複数の設備パラメータの値、または１つまたは複数の対応する非定常状態パラメータの動作範囲の全域にわたり測定された前記１つまたは複数の設備パラメータの値のシグニチャのうちの少なくとも１つに対応する、請求項１に記載の方法。
【請求項３】
前記１つまたは複数の設備パラメータまたはプロセスパラメータのいずれかに関連付けられたアラームに対する重みを受け取ることをさらに含む、請求項１または２に記載の方法。
【請求項４】
前記アセット健康値を計算することは、
最も高い重み付けが施されたアクティブアラームに基づいてアラーム健康値を計算することと、
前記１つまたは複数の設備パラメータのそれぞれに関連付けられた１つまたは複数の設備健康値であって、前記ベースラインデータおよび対応する限界値に対する前記１つまたは複数の設備パラメータに基づく設備健康値を、計算することと、
前記アラーム健康値と前記１つまたは複数の設備健康値のうちで最も低い健康値を決定することと、
を含む、請求項１〜３のいずれか一項に記載の方法。
【請求項５】
前記アセットに対応するグラフィカル・ユーザ・インターフェースのアセット概要ページを描画することと、
前記最も低い健康値、前記最も低い健康値に対応する前記設備パラメータまたはプロセスパラメータに関連付けられたタグまたは名称、または、前記アラーム健康値または前記１つまたは複数の設備健康値のうちの少なくとも１つを含む一覧のうちの少なくとも１つを表示することと、
をさらに含む、請求項４に記載の方法。
【請求項６】
前記アセット健康値は、前記アセットの性能または前記アセットの故障の可能性のうちの少なくとも１つを示す、請求項１〜５のいずれか一項に記載の方法。
【請求項７】
前記設備パラメータおよび前記プロセスパラメータを監視することは無線通信プロトコルを介して監視することを含む、請求項１〜６のいずれか一項に記載の方法。
【請求項８】
前記アセットは、ポンプ、熱交換器、空冷式交換器、炉、燃焼加熱器、送風機、フィンファン、冷却塔、蒸留カラム、圧縮器、パイプ、バルブ、容器、坑口、タンク、ボイラ、蒸気トラップ、乾燥機、キルン、反応器、オイル精留器、分離器、脱塩器、粉砕機、溶鉱炉、サイクロン、または遠心機である、請求項１〜７のいずれか一項に記載の方法。
【請求項９】
前記設備パラメータおよび前記プロセスパラメータを監視することは、前記アセットの前記アセット健康値の略連続的な計算を可能にするオンライン監視を含む、請求項１〜８のいずれか一項に記載の方法。
【請求項１０】
プロセスプラント、前記稼働中のプロセスユニットのエリア、またはアセット種類のいずれかに対応するグラフィカル・ユーザ・インターフェースのエリアビューを描画することと、
前記エリアビューにおいて、前記エリアに関連付けられた前記アセットに対応する第１グラフィックを描画することと、
前記エリアビューにおいて、前記エリアに関連付けられた１つまたは複数の第２アセットに対応する１つまたは複数の第２グラフィックを描画することと、
前記１つまたは複数の第２アセットに対応する前記アセット健康値および１つまたは複数の第２アセット健康値を表示するために、前記エリアビュー内において前記第１グラフィックまたは前記１つまたは複数の第２グラフィックのうちの少なくとも１つを変更することと、
をさらに含む、請求項１〜９のいずれか一項に記載の方法。
【請求項１１】
前記設備パラメータは、前記アセットの状態、健康、整合性、または性能のいずれかに関連付けられたパラメータに対応し、前記プロセスパラメータは前記稼働中のプロセスユニットの制御および動作に関連付けられたパラメータに対応する、請求項１〜１０のいずれか一項に記載の方法。
【請求項１２】
稼働中のプロセスユニットにおけるアセットに関連付けられた１つまたは複数の設備パラメータ、および１つまたは複数のプロセスパラメータを監視するためのセンサと、
前記センサを介して収集されたデータを受け取り、前記１つまたは複数の設備パラメータおよび前記１つまたは複数のプロセスパラメータに基づいて前記アセットのアセット健康値を計算するためのプロセッサと、
を備えるシステム。
【請求項１３】
前記プロセッサは無線通信プロトコルを介して前記データを受け取る、請求項１２に記載のシステム。
【請求項１４】
前記アセットは、ポンプ、熱交換器、空冷式交換器、炉、燃焼加熱器、送風機、フィンファン、冷却塔、蒸留カラム、圧縮器、パイプ、バルブ、容器、坑口、タンク、ボイラ、蒸気トラップ、乾燥機、キルン、反応器、オイル精留器、分離器、脱塩器、粉砕機、溶鉱炉、サイクロン、または遠心機である、請求項１２または１３に記載のシステム。
【請求項１５】
前記プロセッサは、
前記１つまたは複数のプロセスパラメータのうちの１つに関連付けられた最も高い重み付けが施されたアクティブアラームに基づいてアラーム健康値を計算することと、
前記１つまたは複数の設備パラメータに対応する１つまたは複数の設備健康値を計算することと、
前記アラーム健康値と前記１つまたは複数の設備健康値のうちで最も低い健康値を決定することと、
により、前記アセット健康値を計算する、請求項１２〜１４のいずれか一項に記載のシステム。
【請求項１６】
グラフィカル・ユーザ・インターフェースを描画するためのディスプレイをさらに備え、前記グラフィカル・ユーザ・インターフェースは前記アセットの前記アセット健康値を示すグラフィックを含む、請求項１２〜１５のいずれか一項に記載のシステム。
【請求項１７】
機械可読命令を格納する有形の製造品であって、前記機械可読命令は、実行されると、機械に対して、少なくとも
稼働中のプロセスユニットにおけるアセットに関連付けられた１つまたは複数の設備パラメータを監視することと、
前記アセットに関連付けられた１つまたは複数のプロセスパラメータを監視することと、
前記１つまたは複数の監視される設備パラメータ、プロセスパラメータ、および前記１つまたは複数の設備パラメータに関連付けられたベースラインデータに基づいて、前記アセットに対応するアセット健康値を決定することと、
を実行させる、有形の製造品。
【請求項１８】
前記設備パラメータは、前記アセットの状態、健康、整合性、または性能のいずれかに関連付けられたパラメータに対応し、前記プロセスパラメータは前記稼働中のプロセスユニットの制御および動作に関連付けられたパラメータに対応する、請求項１７に記載の有形の製造品。
【請求項１９】
前記アセットの前記アセット健康値を計算することは、
最も高い重み付けが施されたアクティブアラームに基づいてアラーム健康値を計算することと、
前記１つまたは複数の設備パラメータのそれぞれに関連付けられた１つまたは複数の設備健康値であって、前記ベースラインデータおよび対応する限界値に対する前記１つまたは複数の設備パラメータに基づく設備健康値を、計算することと、
前記アラーム健康値と前記１つまたは複数の設備健康値とのうちで最も低い健康値を共通の尺度に基づいて決定することと、
を含む、請求項１７または１８に記載の有形の製造品。
【請求項２０】
前記アセットの前記アセット健康値は、前記アセットの性能または前記アセットの故障の可能性のうちの少なくとも１つを示す、請求項１７〜１９のいずれか一項に記載の有形の製造品。